(57)【要約】  錠剤検査装置（１１）は、一方のフィルムに印字部を有する２枚のフィルム間に、印字部よりも赤外光の吸収率が低い錠剤が封入された薬包体に対して、一方のフィルムの側から赤外光を照射する透過照明部（１４）と、薬包体に対して、２枚のフィルムのうちの他方のフィルムの側から赤外光を照射する反射照明部（１３）と、透過照明部（１４）が赤外光を照射し、かつ反射照明部（１３）が赤外光を照射しない状態において、薬包体を他方のフィルムの側から撮像することにより透過画像を取得し、反射照明部（１３）が赤外光を照射し、かつ透過照明部（１４）が赤外光を照射しない状態において、薬包体を他方のフィルムの側から撮像することにより反射画像を取得するカメラ部（１５）と、反射画像と透過画像との差分画像から、錠剤の領域を示す検査画像を生成する演算部（１６）とを備える。
2012127827.tif 000002
【特許請求の範囲】
【請求項１】
一方のフィルムに印字部を有する２枚のフィルム間に、前記印字部よりも赤外光の吸収率が低い錠剤が少なくとも封入された薬包体を載置する載置部と、
赤外光を照射する透過照明部と、
赤外光を照射する反射照明部と、
前記透過照明部が前記薬包体に前記一方のフィルムの側から赤外光を照射した状態において、前記薬包体を前記２枚のフィルムのうちの他方のフィルムの側から撮像することにより透過画像を取得すると共に、前記反射照明部が前記薬包体に前記他方のフィルムの側から赤外光を照射した状態において、前記薬包体を前記他方のフィルムの側から撮像することにより反射画像を取得するカメラ部と、
前記反射画像と前記透過画像との差分画像から検査画像を生成し、前記検査画像に基づいて前記錠剤を検査する演算部と
を備える
錠剤検査装置。
【請求項２】
さらに、
画像を二値化する二値化処理部を備え、
前記演算部は、前記二値化処理部で二値化された前記差分画像から、前記検査画像を生成する
請求項１記載の錠剤検査装置。
【請求項３】
さらに、
画像を二値化する二値化処理部を備え、
前記演算部は、前記二値化処理部で二値化された前記反射画像と前記二値化処理部で二値化された前記透過画像との差分画像から、前記検査画像を生成する
請求項１記載の錠剤検査装置。
【請求項４】
前記演算部は、二値化された前記反射画像において閾値以上の画素値を有する領域であると共に二値化された前記透過画像において閾値未満の画素値を有する領域を残し、その他の領域を除去して前記検査画像を生成する
請求項３記載の錠剤検査装置。
【請求項５】
前記薬包体には、前記印字部よりも赤外光の吸収率が高い錠剤である第二錠剤が封入されており、
前記演算部は、前記二値化処理部で二値化された前記反射画像から前記第二錠剤の領域を特定し、特定した前記第二錠剤の領域を示す像を前記検査画像に追加する
請求項２〜４のいずれか１項に記載の錠剤検査装置。
【請求項６】
前記第二錠剤は、サーカネッテン（登録商標）錠である
請求項５記載の錠剤検査装置。
【請求項７】
前記一方のフィルムが有色フィルムであり、前記他方のフィルムが透明フィルムである
請求項１〜６のいずれか１項に記載の錠剤検査装置。
【請求項８】
前記赤外光は、７５０ｎｍ〜９５０ｎｍの波長帯の光である
請求項７記載の錠剤検査装置。
【請求項９】
さらに、
前記検査画像に含まれる錠剤の領域を計数することにより、前記薬包体に含まれる錠剤の個数を計数する錠剤カウント部を備える
請求項１〜８のいずれか１項に記載の錠剤検査装置。
【請求項１０】
前記載置部は、前記薬包体を載置する部分が透明な部分である載置台である
請求項１〜９のいずれか１項に記載の錠剤検査装置。
【請求項１１】
前記載置台の透明な部分は、ルーバー構造を有する透明板から構成される
請求項１０記載の錠剤検査装置。
【請求項１２】
前記反射照明部は、赤外光を反射するドーム形状の反射鏡を備える
請求項１〜１１のいずれか１項に記載の錠剤検査装置。
【請求項１３】
一方のフィルムに印字部を有する２枚のフィルム間に、前記印字部よりも赤外光の吸収率が低い錠剤が少なくとも封入された薬包体を準備し、
透過照明部が前記薬包体に前記一方のフィルムの側から赤外光を照射した状態において、前記薬包体を前記２枚のフィルムのうちの他方のフィルムの側から撮像することにより透過画像を取得し、
反射照明部が前記薬包体に前記他方のフィルムの側から赤外光を照射した状態において、前記薬包体を前記他方のフィルムの側から撮像することにより反射画像を取得し、
前記反射画像と前記透過画像との差分画像から検査画像を生成し、前記検査画像に基づいて前記錠剤を検査する
錠剤検査方法。
【請求項１４】
二値化処理部で二値化された前記差分画像から、前記検査画像を生成する
請求項１３記載の錠剤検査方法。
【請求項１５】
二値化処理部で二値化された前記反射画像と前記二値化処理部で二値化された前記透過画像との差分画像から、前記検査画像を生成する
請求項１３記載の錠剤検査方法。
【請求項１６】
前記薬包体には、前記印字部よりも赤外光の吸収率が高い錠剤である第二錠剤が封入されており、
二値化処理部で二値化された前記反射画像から前記第二錠剤の領域を特定し、特定した前記第二錠剤の領域を示す像を前記検査画像に追加した後、前記第二錠剤の領域を示す像が追加された前記検査画像に基づいて前記錠剤を検査する
請求項１３〜１５のいずれか１項に記載の錠剤検査方法。
【請求項１７】
前記第二錠剤は、サーカネッテン（登録商標）錠である
請求項１６記載の錠剤検査方法。
【発明の詳細な説明】
【技術分野】
【０００１】
本発明は、薬包体に封入された錠剤の監査を支援する錠剤検査装置およびこれを用いた錠剤検査方法に関する。
【背景技術】
【０００２】
病院施設および薬局等では、処方箋に対して正確な調剤作業を行なう必要がある。そのために、病院施設および薬局等では、調剤作業の後に調剤の監査が行われている。この調剤作業の調剤対象の一例として、錠剤がある。錠剤の監査は、錠剤を区分封入した薬包体に対して、錠剤分包機が薬包体内の錠剤の個数を検出することで、行われる。このように錠剤監査を行う場合、文字および模様および図柄などの薬包体の印字部と錠剤との判別が難しい。このため、正確に錠剤の個数を検出できない場合がある。そこで、印字部を除去して錠剤を残した薬包体の検査画像を生成し、この検査画像から薬包体の錠剤監査を行う錠剤検査装置が提案されている（例えば、特許文献１参照。）。【０００３】
図１は、従来の錠剤検査装置１の斜視図である。【０００４】
錠剤検査装置１は、カメラ３で撮影された薬包体２の透過画像に対し、二値化処理および収縮処理および膨張処理をこの順で行うことにより、透過画像のノイズ除去を行う。これにより、錠剤検査装置１は、印字部を除去した薬包体の検査画像を生成する。【０００５】
錠剤検査装置１は、検査位置に位置する薬包体２を撮影するカメラ３と、カメラ３の下方位置に配置された照明器６と、カメラ３で撮影された濃淡のある透過画像を画像処理する画像処理部４と、画像処理部４に接続されたディスプレイ５とを有する。【０００６】
画像処理部４は、カメラ３で撮影された透過画像を取り込んだ後、透過画像を所定の閾値で二値化し、二値化画像を算出する。続いて、画像処理部４は、二値化画像に対して収縮および膨張からなるノイズ除去処理を施して、薬包体２に施された印字部の除去を行う。【０００７】
そして、錠剤検査装置１は、印字部が除去された検査画像から錠剤の個数を検出すると共に、この錠剤の個数が薬包体に封入されるべき適切な個数であるか否かを判定する。このようにして、錠剤検査装置１は、薬包体の錠剤監査を自動的に行う。【０００８】
また、スリット光の反射照明を用いて、錠剤を抽出する錠剤監査装置も提案されている（例えば、特許文献２参照。）。
【先行技術文献】
【特許文献】
【０００９】
【特許文献１】特開平９−２３１３４２号公報
【特許文献２】特開平７−２０４２５３号公報
【発明の概要】
【発明が解決しようとする課題】
【００１０】
しかしながら、従来の錠剤検査装置１は、光の吸収率が高いと共に線が太い印字部を、検査画像から除去することができない。透過画像に写る印字部は、光の吸収率が高く、錠剤は光を透過させない。そのため、印字部と錠剤の透過画像上の明度は共に低くなり（画素値は共に小さくなり）、その透過画像に対して二値化処理が行われると、印字部は黒い画素となる。そのため、従来の錠剤検査装置１では、印字部が、錠剤と同様に黒い画素として検査画像に残ってしまう。また、印字部が模様または図柄から構成されている場合には、印字部の線が太くなる。このため、透過画像を二値化した二値化画像を収縮および膨張しても、その印字部を除去することはできない。結果として、印字部が模様または図柄から構成されている場合、印字部が検査画像に残ってしまう。【００１１】
このように、透過画像を二値化した後、収縮および膨張により二値化画像からノイズ除去を行っても、印字部の光の吸収率が高くかつ印字部の線が太い場合には、検査画像の一部に印字部が残ってしまう。このため、従来の錠剤検査装置では、薬包体に封入された錠剤の個数を正確に検出できない可能性があるという課題を有する。【００１２】
本発明は、上記従来の課題を解決するためになされたものであり、薬包体に封入された錠剤の個数を正確に検出することができる錠剤検査装置および錠剤検査方法を提供することを目的とする。
【課題を解決するための手段】
【００１３】
上記目的を達成するために、本発明のある局面に係る錠剤検査装置は、一方のフィルムに印字部を有する２枚のフィルム間に、前記印字部よりも赤外光の吸収率が低い錠剤が少なくとも封入された薬包体を載置する載置部と、赤外光を照射する透過照明部と、赤外光を照射する反射照明部と、前記透過照明部が前記薬包体に前記一方のフィルムの側から赤外光を照射した状態において、前記薬包体を前記２枚のフィルムのうちの他方のフィルムの側から撮像することにより透過画像を取得すると共に、前記反射照明部が前記薬包体に前記他方のフィルムの側から赤外光を照射した状態において、前記薬包体を前記他方のフィルムの側から撮像することにより反射画像を取得するカメラ部と、前記反射画像と前記透過画像との差分画像から検査画像を生成し、前記検査画像に基づいて前記錠剤を検査する演算部とを備える。【００１４】
本発明の他の局面に係る錠剤検査方法は、一方のフィルムに印字部を有する２枚のフィルム間に、前記印字部よりも赤外光の吸収率が低い錠剤が少なくとも封入された薬包体を準備し、透過照明部が前記薬包体に前記一方のフィルムの側から赤外光を照射した状態において、前記薬包体を前記２枚のフィルムのうちの他方のフィルムの側から撮像することにより透過画像を取得し、反射照明部が前記薬包体に前記他方のフィルムの側から赤外光を照射した状態において、前記薬包体を前記他方のフィルムの側から撮像することにより反射画像を取得し、前記反射画像と前記透過画像との差分画像から検査画像を生成し、前記検査画像に基づいて前記錠剤を検査する。
【発明の効果】
【００１５】
本発明によると、薬包体に封入された錠剤の個数を正確に検出することができる錠剤検査装置およびこれを用いた錠剤検査方法を提供することができる。
【図面の簡単な説明】
【００１６】
【図１】図１は、従来の錠剤検査装置の斜視図である。
【図２】図２は、本発明の実施の形態１に係る錠剤検査装置のハードウェアの概略構成を示すブロック図である。
【図３】図３は、本発明の実施の形態１に係る薬包体の平面図である。
【図４】図４は、本発明の実施の形態１に係るカメラ部で撮影された薬包体の反射画像を二値化した画像の一例を示す図である。
【図５】図５は、本発明の実施の形態１に係るカメラ部で撮影された薬包体の透過画像を二値化した画像の一例を示す図である。
【図６】図６は、本発明の実施の形態１における薬包体の検査画像の一例を示す図である。
【図７】図７は、本発明の実施の形態１における錠剤検査装置を用いて錠剤検査を行う方法を示すフローチャートである。
【図８】図８は、本発明の実施の形態２に係るカメラ部で撮影された薬包体の反射画像の一例を示す図である。
【図９】図９は、本発明の実施の形態２における錠剤検査装置を用いて錠剤検査を行う方法を示すフローチャートである。
【図１０】図１０は、本発明の実施の形態２に係るカメラ部で撮影された薬包体の透過画像の一例を示す図である。
【図１１】図１１は、本発明の実施の形態２に係る差分画像を二値化した画像の一例を示す図である。
【図１２】図１２は、本発明の実施の形態２に係る高吸収錠剤領域を示す画像の一例を示す図である。
【図１３】図１３は、本発明の実施の形態２に係る検査画像を示す画像の一例を示す図である。
【発明を実施するための形態】
【００１７】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。
【００１８】
なお、同じ構成要素には同じ符号を付しており、説明を省略する場合もある。また、図面は理解しやすくするために、それぞれの構成要素を主体に模式的に示している。
【００１９】
（実施の形態１）
図２は、本発明の実施の形態１に係る錠剤検査装置１１のハードウェアの概略構成を示すブロック図である。錠剤検査装置１１は、印字部を有する薬包体２１を撮影した画像から印字部を除去して、錠剤を含む検査画像を生成する装置である。さらに、この錠剤検査装置１１は、検査画像から錠剤の個数を計数し、薬包体２１に封入された錠剤が適切な個数であるか否かの錠剤監査を、自動的に行う装置でもある。なお、印字部とは、文字のみならず図または記号等が印刷された部分も含むものとする。
【００２０】
図２に示すように、本実施の形態１に係る錠剤検査装置１１は、薬包体２１を載置する載置台１２と、載置台１２を照らす反射照明部１３と、載置台１２を挟んで反射照明部１３の反対側から載置台１２に光を照射する透過照明部１４と、カメラ部１５と、演算部１６とを備える。載置台１２は、載置部の一例である。
【００２１】
また、演算部１６での演算結果を表示するために、表示部１７を設けても良い。
【００２２】
薬包体２１とは、透明フィルム（他方のフィルム）と白色フィルム（一方のフィルム）との間に、錠剤を封入したものである。ここでの白色フィルムは、赤外光に対する透過率が高いフィルムであり、印字可能な白色の表示面がコーティングされたものである。薬包体２１は、白色フィルムに、赤外光の吸収率が高いインクで印刷された印字部を有する。具体的には、印字部は、薬包体２１に封入された錠剤よりも、赤外光の吸収率が高いものとする。赤外光の吸収率が高いとは、赤外光の波長帯において光の吸収率が高いと共に、赤外光の透過率及び反射率の低いことを意味する。このような赤外光に対して高い吸収率を有するインクとしては、カーボンブラック等の顔料を主原料としたインクが挙げられる。カーボンブラックは、赤外光だけでなく、可視光の波長帯においても吸収率が高い。また、カーボンブラックは、赤外光の波長帯において、錠剤との吸収率の差が大きくなる。このようなインクを印字部に用いることにより、印字部の赤外光の吸収率を、薬包体２１に封入された錠剤および白色フィルムの赤外光の吸収率よりも、高くすることができる。また、印字部は、錠剤を薬包体２１に封入する段階で印刷されることが多い。印字部の一例としては、例えば、患者名、錠剤の服用時間、薬包番号およびバーコード等が挙げられる。なお、ここでは、一方のフィルムを白色フィルムで説明したが、一方のフィルムは、有色フィルムでもよい。
【００２３】
載置台１２は、印字部を有する薬包体２１を載置するための台である。載置台１２は、端部に設けたガイド部２０と、カメラ部１５および透過照明部１４の間に位置する透明板２２とを有する。
【００２４】
ガイド部２０は、内部に駆動ローラとガイドローラ（図示せず）を有する。そして、駆動ローラとガイドローラの間に薬包体２１の端部を挟んだ状態で駆動ローラを回転させることで、薬包体２１をガイド部２０に沿って移動させる。
【００２５】
また、載置台１２の透明板２２は、下方にある透過照明部１４からの照明光（赤外光）を透過させる。透明板２２の位置は、カメラ部１５で撮影する薬包体２１が載置される位置でもある。
【００２６】
このような構成により、透過照明部１４は、薬包体２１に対して、白色フィルムの側から赤外光を照射する。また、反射照明部１３は、薬包体２１に対して、透明フィルムの側から赤外光を照射する。
【００２７】
カメラ部１５は、反射照明部１３によって光が照射された薬包体２１を撮影して反射画像を取得するカメラである。また、カメラ部１５は、透過照明部１４によって光が照射された薬包体２１を撮影して透過画像を取得するカメラである。なお、反射照明部１３が光を照射しているとき、透過照明部１４は、光を照射しない。また、透過照明部１４が光を照射しているとき、反射照明部１３は、光を照射しない。反射照明部１３の照明光（赤外光）と透過照明部１４の照明光（赤外光）の切り替えは、カメラ部１５が有する制御部１５ａによって行われる。
【００２８】
画像撮影時、薬包体２１の透明フィルムは、カメラ部１５側に位置する。つまり、薬包体２１の白色フィルムは、載置台１２の透明板２２側（透過照明部１４側）に位置する。また、カメラ部１５の撮影レンズは、筒状の反射照明部１３の上方にある。また、カメラ部１５は、載置台１２を挟んで透過照明部１４に対向する位置にある。
【００２９】
演算部１６は、反射画像と透過画像との差分から、検査画像を生成する。
【００３０】
反射照明部１３の照射光および透過照明部１４の照射光は、赤外光である。ここでの赤外光は、７００ｎｍの以上の波長の波長帯の光である。ただし、通常のカメラでの赤外光の撮像感度は、近赤外光の範囲のみである。このため、実施の形態１の反射照明部１３および透過照明部１４の赤外光は、波長が７５０ｎｍ〜９５０ｎｍの波長帯の赤外光を想定している。より特定的には、反射照明部１３および透過照明部１４の赤外光は、８５０ｎｍの波長の赤外光であっても良い。
【００３１】
なお、照射光として赤外光を利用する理由は、一般的に薬包体２１の印字部のインクが、赤外光の吸収率が高いカーボンブラックを使用していることが多いためである。照射光として赤外光を利用する更なる理由は、一般的な錠剤が、赤外光を反射するためである。一般的な錠剤の中には、可視光を反射しないものも多い。このため、一般的な錠剤に対しても錠剤検査装置１１を適用できるように、本実施の形態１では赤外光を利用する。
【００３２】
この構成では、錠剤が赤外光を反射するため、反射画像に写る錠剤の明度は高くなる（画素値は大きくなる）。また、この構成では、錠剤が赤外光を透過させないため、透過画像に写る錠剤の明度は、低くなる（画素値は小さくなる）。一方、印字部のインクが赤外光を吸収するため、反射画像と透過画像の印字部の明度は低くなる（画素値は小さくなる）。本実施の形態１の錠剤検査装置１１は、印字部の明度が低い反射画像と印字部および錠剤の明度が低い透過画像との差分を利用して、錠剤を含むと共に印字部を除去した検査画像を、生成することができる。なお、本明細書中では、明度と画素値とは特に区別せず、明度は画素値を意味する場合もある。
【００３３】
錠剤検査装置１１は、さらに、カメラ部１５で取得した画像を二値化する二値化処理部１８を備える。二値化処理部１８は、画像に含まれる画素ごとに、明度と閾値とを比較する。二値化処理部１８は、明度が閾値以上の画素を白い画素（例えば、画素値２５５の画素）とし、明度が閾値未満の画素を黒い画素（例えば、画素値０の画素）とすることで、二値化する。演算部１６は、所望の領域を残し、その他の領域を除去して、検査画像を生成する。ここでの所望の領域とは、二値化処理部１８で二値化された透過画像の明度が低い領域であって、二値化された反射画像の明度が高い領域である。この検査画像では、印字部が除去され、錠剤のみが映っている。印字部が除去される理由については、後述する。
【００３４】
錠剤検査装置１１は、さらに、錠剤カウント部１９を備える。錠剤カウント部１９は、検査画像における錠剤の数を計数する。
【００３５】
錠剤検査装置１１は、この構成により、検査画像に含まれる錠剤の個数を算出し、薬包体２１に適切な個数の錠剤が入っているか否かを機械的に検査することができる。
【００３６】
ここで、錠剤検査装置１１を用いて透過画像と反射画像から検査画像を生成することで、印字部が除去される理由について、説明する。
【００３７】
図３は、本実施の形態１に係る薬包体２１の平面図である。
【００３８】
この薬包体２１は、図３に示すように、複数の錠剤３１と白色フィルムに印刷された印字部３２とが、薬包体２１の透明フィルム側から見ることができるものである。錠剤検査装置１１は、このような薬包体２１をカメラ部１５で撮影して透過画像および反射画像を取得すると共に、取得した透過画像および反射画像を二値化処理部１８で二値化する。なお、図３は、カメラ部１５で撮影された二値化する前の反射画像でもある。
【００３９】
図４は、本実施の形態１に係る反射画像３５の一例を示す図である。反射画像３５は、カメラ部１５で撮影された薬包体２１の反射画像を、二値化した画像である。図５は、本発明の実施の形態１に係る透過画像３６の一例を示す図である。透過画像３６は、カメラ部１５で撮影された薬包体２１の透過画像を、二値化した画像である。
【００４０】
図４に示すように、二値化された反射画像３５は、錠剤３１の画像が消えて、印字部３２の画像のみが存在するように見える。なぜならば、印字部３２が赤外光の吸収率が高いインクを印刷したものであり、赤外光を吸収して反射画像３５の中の印字部３２の明度が低くなるためである。さらに、反射画像３５は所定の閾値で二値化されるため、明度の低い印字部３２の画像は黒くなる。一方、錠剤３１は、その表面で反射照明部１３の赤外光を反射するため、反射画像３５の中の錠剤３１の明度は高くなる。さらに、反射画像３５は所定の閾値で二値化されるため、明度の高い錠剤３１の画像は白くなる。
【００４１】
図５に示すように、二値化された薬包体２１の透過画像３６は、印字部３２および錠剤３１の画像が存在するように見える。なぜならば、印字部３２は薬包体２１に照射された透過照明部１４の赤外光の吸収率が高く、透過画像３６の中の印字部３２の明度が低くなるためである。また、錠剤３１は、透過照明部１４の赤外光を通さないために、透過画像３６の中の錠剤３１の明度も低くなる。さらに、透過画像３６は所定の閾値で二値化されるため、透過画像３６の中で明度の低い印字部３２および錠剤３１の画像は黒くなる。
【００４２】
なお、白色フィルムは透過率が高いために、反射画像３５および透過画像３６のいずれでも白色フィルムの明度は高い。これらの画像を二値化すると、白色フィルムを示す画像は白くなる。よって、生成された検査画像から白色フィルムの画像は除去される。
【００４３】
また、印字部３２の他に透過率の高いインクを用いた高透過率印字部が薬包体２１に印刷されている場合、高透過率印字部は、反射画像３５および透過画像３６のいずれでも明度は高い。これらの画像を二値化すると、高透過率印字部を示す画像は白くなる。よって、二値化された検査画像から高透過率印字部が除去される。カラー印字の場合は、特定の色の波長のみを反射する材料で印字されることが多いため、カラーの印字部における赤外光の透過率は高くなることが多い。なお、高透過率印字部とは、第二印字部の一例である。
【００４４】
ここで、印字部３２が、赤外光の吸収率または透過率が高くないものである場合について考える。この場合、印字部３２の赤外光の透過率が高くないため、透過画像３６では印字部３２の明度が低くなる。また、印字部３２の赤外光の吸収率が高くないため、反射画像３５では印字部３２の明度が高くなる。そのため、透過画像３６および反射画像３５のどちらにおいても、印字部３２の明度は、錠剤３１の明度と同じとなる。この場合、印字部３２のみを除去することができない。
【００４５】
しかし、本実施の形態では、上述したように、印字部３２において赤外光の吸収率が高くなるようにしている。このため、二値化された反射画像３５において、印字部３２を示す領域の画像は黒く、錠剤３１を示す領域の画像は白くなる。一方、二値化された透過画像３６において、印字部３２および錠剤３１を示す領域の画像が黒くなる。そのため、透過画像３６と反射画像３５との差分を利用して印字部３２を示す領域を除去することで、錠剤３１を示す領域を残した検査画像を、生成することができる。このとき、二値化された反射画像３５と透過画像３６には黒い画素と白い画素しか残らない。演算部１６は、反射画像３５と透過画像３６とから検査画像を生成する際、透過画像３６では黒く反射画像３５では白い画素についてはその画素を黒い画素とし、それ以外の画素については白い画素とすることで、検査画像を生成する。
【００４６】
図６は、本実施の形態１における薬包体２１の検査画像３７を示す図である。図６に示すように、薬包体２１の検査画像３７では、錠剤３１の画像は存在するが印字部３２の画像は除去されている。
【００４７】
演算部１６は、具体的には、以下の処理を行う。透過画像３６および反射画像３５の両方において黒い画素は、赤外光を吸収する印字部３２を意味する。このため、演算部１６は、透過画像３６および反射画像３５の両方において黒い画素を、検査画像３７において白い画素とする。また、透過画像３６において黒く反射画像３５において白い画素は、赤外光を透過させず、かつ赤外光を反射する錠剤３１を意味する。このため、演算部１６は、透過画像３６において黒く、反射画像３５において白い画素を、検査画像３７において黒い画素とする。さらに、透過画像３６において白い画素は、赤外光の透過が起こっていることから、印字部３２でも錠剤３１でもない箇所を意味する。そのため、演算部１６は、透過画像３６において白い画素を、反射画像３５の画素が白い場合であっても黒い場合であっても、検査画像３７において白い画素とする。
【００４８】
このような処理により、検査画像３７において黒い画素は、透過画像３６および反射画像３５の画素の組み合わせが錠剤３１を意味する場合のみになる。このため、透過画像３６のみに存在する錠剤３１の画像は黒い画素として検査画像３７に残り、反射画像３５と透過画像３６の両方に存在する印字部３２の画像は検査画像３７から除去される。また、このような処理により、透過照明部１４および反射照明部１３の照明レベルを厳密に調整しない場合でも、二値化処理が施された反射画像３５および透過画像３６に残る印字部３２は黒い画素となる。
【００４９】
以上の説明では、画像上で閾値以上の画素値を有する画素を二値化した場合を白い画素とし、画像上で閾値未満の画素値を有する画素を二値化した場合を黒い画素として説明した。だが、この白い画素と黒い画素との関係は、逆の場合でもよい。この場合、閾値以上の画素値を有する画素（明度の高い画素）は黒い画素となり、閾値未満の画素値を有する画素（明度の低い画素）は白い画素となる。また、この場合、演算部１６は、錠剤３１を意味する画素の組み合わせの場合（透過画像３６において白い画素で、反射画像３５において黒い画素の場合）のみ、検査画像において、その画素を黒い画素とする。また、この場合、演算部１６は、それ以外の組み合わせの画素については、検査画像において白い画素とする。このように、二値化処理における白い画素と黒い画素との関係が逆の場合でも、錠剤３１のみが写る検査画像を算出することができる。
【００５０】
なお、錠剤３１を意味する画素の組み合わせにおいて、検査画像３７の当該画素を黒い画素ではなく、白い画素としてもよい。このように、二値化の際に閾値以上の画素値を有する画素を白い画素とする場合、錠剤３１を意味する組み合わせは、透過画像３６の画素が黒く、反射画像３５の画素が白い組み合わせである。そのため、演算部１６は、この組み合わせの場合にのみ、検査画像３７の当該画素を白い画素とする。それ以外の組み合わせの場合、演算部１６は、検査画像３７の当該画素を黒い画素とする。このように、二値化処理の際に閾値以上の画素値を有する画素を白い画素とする場合、これにより錠剤を白い画素として残し、それ以外を黒い画素とすることで、印字部に影響されない検査画像３７を算出することができる。
【００５１】
なお、錠剤３１を意味する画素の組み合わせの場合、黒い画素の画素値を検査画像３７に残すのではなく、反射画像３５または透過画像３６の画素値を検査画像３７に残してもよい。二値化の際に閾値以上の画素値を有する画素を白い画素として残す場合、錠剤３１を意味する組み合わせは、透過画像３６の画素が黒く、反射画像３５の画素が白い場合である。このため、この場合のみ、検査画像３７に反射画像３５または透過画像３６の画素値を残す。それ以外の組み合わせの場合、検査画像３７に反射画像３５または透過画像３６の画素値の最小値または最大値を残す。これにより錠剤３１は反射画像３５または透過画像３６の画素値で表し、それ以外を反射画像３５または透過画像３６の画素値の最小値または最大値で表すことができる。よって、印字部３２に影響されず、人の目でも確認が可能な検査画像３７を算出することができる。また、このような処理により、透過照明部１４および反射照明部１３の照明レベルを厳密に調整しない場合でも、二値化処理が施された反射画像３５および透過画像３６に残る印字部３２は黒い画素となる。
【００５２】
この構成により、図４および図５にそれぞれ示すような透過画像３６および反射画像３５を用いて明度が低い領域（閾値未満の画素値の画素を有する領域）を除去して、図６に示すような検査画像３７を生成する際、印字部が除去されると共に錠剤を含んだ検査画像３７を生成することができる。さらに、本実施の形態の構成によれば、二値化前の反射画像における印字部を示す領域の明度と二値化前の透過画像における印字部を示す領域の明度レベルが異なっていても、二値化によりどちらの領域も同じ明度レベルとすることができる。このため、透過照明部１４および反射照明部１３の照明レベルを厳密に調整しなくとも、印字部が除去されると共に錠剤を含んだ検査画像３７を生成することができる。
【００５３】
そして、これらの処理を行った後、錠剤カウント部１９が、検査画像３７に含まれる錠剤３１の個数を算出し、薬包体２１に適切な錠剤が入っているか否かを、検査する。このとき、検査画像３７では、印字部３２が除去されている。このため、錠剤カウント部１９は、印字部３２を錠剤３１と間違えて計数することがなく、錠剤検査装置１１は正確な錠剤監査をすることができる。
【００５４】
このように、本実施の形態１の錠剤検査装置１１は、赤外光に基づく反射画像３５および透過画像３６を用いて検査画像３７を生成することで、錠剤３１を残した状態で印字部３２を除去した検査画像３７を生成する。また、錠剤検査装置１１は、この検査画像３７を用いて正確な錠剤監査をすることができる。
【００５５】
さらに正確な検査画像３７を生成するためには、図２に示すように、反射照明部１３の反射鏡の形状をドーム型として赤外光を反射することが望ましい。なお、反射照明部１３の反射鏡の形状は、ドーム型に代えて、例えば、半真球形状、つまり真球を半分に割った形状としても良い。
【００５６】
このドーム型の反射鏡を用いた構成により、反射照明部１３は、錠剤３１に対して複数の方向から光を照射することができる。そのため、このドーム型の反射鏡を用いた構成により、薬包体２１のフィルム（包装シート）による鏡面反射を抑えることができる。よって、さらに正確に検査画像３７から印字部３２の除去を行うことができる。また、このドーム型の反射鏡を用いた構成により、光が複数方向から照射されるため、隣り合う錠剤３１で影が発生する可能性を軽減することができる。よって、このドーム型の反射鏡を用いた構成により、さらに正確に検査画像３７に錠剤３１の形状を写すことができる。なぜならば、鉛直方向の光が上方から薬包体２１に照射されると、薬包体２１のフィルム（包装シート）が鏡面反射を起こし易いためである。また、鏡面反射を避けるため側方から光を照射すると、隣り合う錠剤３１の影が錠剤３１に重なり、錠剤３１が光を反射しない場合が生じてしまうためでもある。
【００５７】
透過照明部１４の照射光を通す載置台１２の透明板２２は、ルーバー構造を有する。透明板２２は、薬包体２１を載置するための検査位置であって、載置台１２の透明な部分である。
【００５８】
ルーバー構造を有する透明板２２は、光透過板と遮光板とを積層した積層板である。積層方向に対して直角の方向から積層板へ光を通すと、光は平行光となる。
【００５９】
この構成により、透過照明部１４の光は平行光となって薬包体２１を照らす。そのため、錠剤３１の輪郭がぼやけてしまうことを防ぎ、錠剤３１の形状がより正確な透過画像３６を生成することができる。なぜならば、透過照明部１４の光が拡散する照射光であると、錠剤３１の外周が明るくなり輪郭がぼやけてしまうためである。そのような場合、透過画像３６には正確な錠剤３１の画像が含まれないため、検査画像３７の錠剤３１の形状も不正確なものになる。
【００６０】
なお、前述のように反射画像３５と透過画像３６を二値化した後で差分画像を生成せずに、差分画像を生成した後で二値化しても良い。つまり、反射画像３５と透過画像３６の差分画像を生成した後、差分画像から検査画像３７を生成するために、錠剤検査装置１１は、演算部１６から得られた差分画像を二値化する二値化処理部を備えてもよい。
【００６１】
また、演算部１６は、検査画像３７を生成する前に、二値化処理がされていない透過画像または反射画像に対して、画像の明度の最大値および最小値を、理想状態の明度の最大値および最小値へ補正する補正処理を行ってもよい。補正処理として、まず反射画像の明度の最大値および最小値から、理想とする明度の最大値および最小値に変換するための乗算値をそれぞれ算出する。次に、反射画像の明度の最大値および最小値のそれぞれの変換値を線形近似することにより、反射画像の明度の最大値および最小値の間の明度を変換するための乗算値を算出する。最後に、反射画像の各画素の明度に対し、上記明度の変換値を乗算することで、補正後の各画素の明度を得る。透過画像についても同様の方法により明度を補正する。この補正演算により、各画像の明度が本来理想とする明度の範囲からずれた場合にも、反射画像３５と透過画像３６の差分画像の二値化処理を行う際の閾値を、厳密に調整する必要がなくなる。
【００６２】
ここで、閾値の厳密な調整が必要となり、錠剤３１と印字部３２との明確な分離が困難となる場合がある。これは、カメラ部１５の露光時間や照明の強度を、理想とする値まで上げられない場合に、反射画像の錠剤３１の明度が低くなり、二値化処理がされていない反射画像と透過画像の差分画像において錠剤３１と印字部３２の明度が近くなるために起こる。この場合は、反射画像の明度の最大値と最小値を理想とする明度の最大値と最小値に補正することで、差分画像において錠剤３１と印字部３２の明度の差が大きくなり、錠剤３１と印字部３２の分離が可能となる。すなわち、閾値の厳密な調整を行う必要がなくなる。なお、反射画像において、錠剤３１の明度は高くなり、印字部３２の明度は低くなる。一方、錠剤３１の明度は各錠剤によって若干異なるが、錠剤３１の明度は高く印字部３２の明度は低いため、反射画像の明度の最大値と最小値はどの薬包体２１においても安定した一定の値が得られる。そのため、補正処理を行う基準値として利用する事が可能となる。
【００６３】
また、演算部１６は、検査画像３７を生成する前に、二値化処理前の透過画像および反射画像の少なくとも１つの画像に対し、画像上の明度の平均と分散の値を理想状態の明度の平均と分散の値へ補正する補正処理を行ってもよい。
【００６４】
また、錠剤カウント部１９が錠剤３１の個数を算出して、自動的に錠剤監査を行う以外にも、監査者が錠剤３１の個数を算出してもよい。具体的には、演算部１６が検査画像３７を表示部１７へ表示させて、監査者が、表示部１７に表示された検査画像３７を見ることにより、錠剤３１の個数や錠剤の形状から、錠剤監査を行ってもよい。
【００６５】
以上説明した錠剤検査装置１１を用いて行う錠剤検査の方法について説明する。
【００６６】
錠剤検査装置１１を用いて薬包体２１の錠剤検査を行う錠剤検査方法は、透過画像を取得する第１ステップと、反射画像を取得する第２ステップと、検査画像を生成する第３ステップとを含む。第１ステップは、印字部を有する透明フィルムと白色フィルムで構成された薬包体を用い、印字部よりも赤外光の吸収率が低い錠剤が封入された薬包体に対して白色フィルムの側から赤外光を照射し、かつ、反射照明部１３が赤外光を照射しない状態において、薬包体を透明フィルムの側から撮像することにより透過画像を取得するステップである。第２ステップは、反射照明部１３が、薬包体に対して透明フィルムの側から赤外光を照射し、かつ透過照明部１４が赤外光を照射しない状態において、薬包体を透明フィルムの側から撮像することにより反射画像を取得するステップである。第３ステップは、反射画像と透過画像との差分画像から、検査画像を生成するステップである。
【００６７】
このようにして、反射画像３５と透過画像３６との差分を利用して検査画像３７を生成すると、錠剤３１を含み、印字部３２が除去された検査画像３７を得ることができる。
【００６８】
図７は、本実施の形態１における錠剤検査装置１１を用いて錠剤検査を行う方法を示すフローチャートである。
【００６９】
まず、複数個の薬包体２１が繋げられた薬包体２１の帯を準備し、この薬包体２１を載置台１２に置いた後、反射照明部１３から赤外光を照射して、検査位置にある薬包体２１を載置台１２の上方から赤外光で照らす。この時、反射照明部１３のみが光を照射し、透過照明部１４は光を照射しない。この時、ガイド部２０は薬包体２１が動かないように固定する。薬包体２１に反射照明部１３が赤外光を照射している状態で、カメラ部１５は、薬包体２１を撮影して薬包体の反射画像を取得する（ステップＳ０１）。
【００７０】
二値化処理部１８は、カメラ部１５で取得した薬包体２１の反射画像の二値化を行い、二値化された反射画像３５を生成する（ステップＳ０２）。
【００７１】
ステップＳ０２で二値化処理が行われた後、反射照明部１３は赤外光の照射を止め、透過照明部１４は赤外光を照射して、薬包体２１を載置台１２の下方から赤外光で照らす。この時、ガイド部２０は薬包体２１が動かないように固定する。この状態で、カメラ部１５が薬包体２１を撮影する（ステップＳ０３）。
【００７２】
二値化処理部１８は、カメラ部１５で取得した薬包体２１の透過画像の二値化を行い、二値化された透過画像３６を生成する（ステップＳ０４）。
【００７３】
ステップＳ０４で二値化処理が行われた後、透過照明部１４の赤外光の照射を止める。そして、演算部１６は、二値化処理された反射画像３５と二値化処理された透過画像３６の差分から、薬包体２１の検査画像３７を生成する（ステップＳ０５）。
【００７４】
このように、赤外光に基づく反射画像および透過画像を用いて検査画像３７を生成することで、印字部３２が除去されると共に錠剤３１を残した薬包体２１の画像を生成する。
【００７５】
錠剤カウント部１９は、検査画像３７における錠剤３１の個数を数え、この数を錠剤の個数として算出する（ステップＳ０６）。
【００７６】
さらに、錠剤カウント部１９には、薬包体２１に封入されているべき錠剤の総数が記録されている。ここで、薬包体２１に封入されているべき錠剤の総数は、処方箋に基づいて算出される。そして、錠剤カウント部１９は、記録されている処方箋に基づく錠剤の総数と、ステップＳ０５で算出された錠剤３１の個数とが、同数であるか否かをチェックする（ステップＳ０７）。
【００７７】
そして、処方箋に基づく錠剤３１の総数とステップＳ０７で算出された錠剤３１の個数とが異なっている場合、演算部１６は、表示部１７に、薬包体２１に封入された錠剤の個数が異なる旨のメッセージを表示させる。また、処方箋に基づく錠剤３１の総数とステップＳ０７で算出された錠剤３１の個数とが同数である場合、演算部１６は、表示部１７に、薬包体２１に封入された錠剤３１の個数が同数である旨のメッセージを表示させる。
【００７８】
その後、載置台１２のガイド部２０が動き、別の薬包体２１をカメラ部１５の下方にある透明板２２上の検査位置へ移動させる。その後、別の薬包体２１に対して、ステップＳ０１〜ステップＳ０７を繰り返して、薬包体２１の錠剤検査が行われる。
【００７９】
なお、上述した錠剤検査装置１１を用いた検査方法では、錠剤カウント部１９で自動的に薬包体２１の錠剤の個数が適切な錠剤３１の個数であるか否かのチェックを行っている。だが、演算部１６が検査画像３７を表示部１７に表示させて、監査者が表示部１７に表示された検査画像３７を見ることにより、監査者の目で薬包体２１の錠剤３１をチェックしてもよい。
【００８０】
また、上述した錠剤検査装置１１を用いた検査方法では、透過画像３６の取得（ステップＳ０３）の前に、反射画像の二値化（ステップＳ０２）を行っているが、透過画像３６の取得（ステップＳ０３）の後に、反射画像の二値化（ステップＳ０２）を行ってもよい。
【００８１】
一般に、白色フィルムに施された印字は錠剤よりも赤外光の吸収率が高いため、透過画像および反射画像のいずれにおいても印字部の明度は低くなる。その一方、錠剤は、透過画像において明度が低くなるものの、反射画像において明度が高くなる。このため、以上説明したような本実施の形態１に係る錠剤検査装置１１では、透過画像と反射画像との差分画像から検査画像を生成することで印字部を除去し、錠剤のみを残した検査画像を生成している。よって、検査画像から薬包体に封入された錠剤の個数を正確に検出することができる。
【００８２】
なお、印字部３２が赤外光以外の所定の波長帯の光を吸収する場合は、赤外光以外の所定の波長帯の光を吸収する印字部３２を有する薬包体２１でも錠剤監査ができるようにすることができる。具体的には、反射照明部１３の照射光および透過照明部１４の照射光の波長帯を上記所定の波長帯とすることで、本実施の形態１の錠剤検査装置１１を用いた検査方法を実現することができる。
【００８３】
印字部３２が赤外光以外の所定の波長帯の光を吸収する場合、錠剤検査装置１１は以下の構成を有する。
【００８４】
透過照明部１４は、一方のフィルム（白色フィルム）に印字部を有する２枚のフィルム間に、印字部よりも所定の波長帯の光の吸収率が低い錠剤が封入された薬包体に対して、白色フィルムの側から所定の波長帯の光を照射する。
【００８５】
反射照明部１３は、薬包体に対して、２枚のフィルムのうちの他方のフィルム（透明フィルム）の側から所定の波長帯の光を照射する。
【００８６】
カメラ部１５は、透過照明部１４が所定の波長帯の体の光を照射し、かつ反射照明部１３が所定の波長帯の光を照射しない状態において、薬包体を透明フィルムの側から撮像することにより、透過画像を取得する。また、カメラ部１５は、反射照明部１３が所定の波長帯の光を照射し、かつ透過照明部１４が所定の波長帯の光を照射しない状態において、薬包体を透明フィルムの側から撮像することにより反射画像を取得する。
【００８７】
演算部１６は、反射画像と透過画像との差分画像から、検査画像を生成する。そして、この検査画像に基づいて錠剤数のチェックを行う。
【００８８】
この構成により、錠剤３１が所定の波長帯の光を反射するため、反射画像に写る錠剤３１の明度は高くなる。また、錠剤３１が所定の波長帯の光を透過させないため、透過画像に写る錠剤３１の明度は低くなる。一方、反射画像と透過画像のどちらにおいても印字部３２の明度は低くなる。錠剤検査装置１１は、印字部３２の明度が低い反射画像と印字部３２および錠剤３１の明度が低い透過画像との差分を利用して、錠剤３１を含み印字部３２を除去した検査画像３７を生成する。
【００８９】
なお、上述した所定の波長帯とは、１００ｎｍ〜１５０ｎｍの幅を持つ帯域である。
【００９０】
また、この場合において錠剤検査装置１１を用いて行う錠剤検査方法は、透過画像を取得する第１ステップと、反射画像を取得する第２ステップと、検査画像を生成する第３ステップとを含む。第１ステップは、印字部を有する透明フィルムと白色フィルムで構成された薬包体を用い、透過照明部１４が、印字部よりも所定の波長帯の光の吸収率が低い錠剤が封入された薬包体に対して、白色フィルムの側から所定の波長帯の光を照射し、かつ、反射照明部１３が所定の波長帯の光を照射しない状態において、薬包体を透明フィルムの側から撮像することにより透過画像を取得するステップである。第２ステップは、反射照明部１３が、薬包体に対して透明フィルムの側から所定の波長帯の光を照射し、かつ透過照明部１４が所定の波長帯の光を照射しない状態において、薬包体を透明フィルムの側から撮像することにより反射画像を取得するステップである。第３ステップは、反射画像と透過画像との差分画像から、錠剤の領域を示す検査画像を生成するステップである。
【００９１】
この構成により、反射画像と透過画像の差分を利用して検査画像３７を生成すると、錠剤３１を含み印字部３２を除去した検査画像３７を得ることができる。
【００９２】
（実施の形態２）
次に、本発明の実施の形態２に係る錠剤検査装置について説明する。前述の実施の形態１では、薬包体の印字部は薬包体に封入された全ての錠剤よりも赤外光の吸収率が高いとした。つまり、前述の実施の形態１では、全ての錠剤が、錠剤の方が印字部よりも赤外光の吸収率が低いとした。しかし、錠剤の中には印字部よりも赤外光の吸収率が高い錠剤として、例えば黒色の錠剤がある。以下、このような錠剤を特別に高吸収錠剤と呼ぶ。高吸収錠剤の代表例としてサーカネッテン（登録商標）錠がある。高吸収錠剤は、第二錠剤の一例である。
【００９３】
高吸収錠剤は赤外光の吸収率が高いため、透過画像および反射画像の双方において黒く写ってしまう。このため、透過画像と反射画像の差分から得られる検査画像においては、印字部と同様に高吸収錠剤は除去されてしまう。よって、薬包内に高吸収錠剤が含まれている場合には、薬包内の錠剤を正確に計数することができず、正確な錠剤監査をすることができない場合がある。そこで、実施の形態２では、高吸収錠剤を抽出する処理を加えている。
【００９４】
前述の実施の形態１では、それぞれ二値化された透過画像と反射画像との差分から検査画像を作成していた。しかし、透過画像と反射画像とをそれぞれ二値化すると、高吸収錠剤の縁において二値化が安定しない場合がある。具体的には、高吸収錠剤と背景との境界の画素値は二値化閾値に近い値を示すため、高吸収錠剤の縁において、高吸収錠剤の領域と判断されない場合がある。このため、検査画像に高吸収錠剤の錠剤領域が正確に示されない場合がある。そこで、実施の形態２では、二値化処理が施されていない透過画像と反射画像の差分画像を二値化すると共に、二値化された反射画像から高吸収錠剤の錠剤領域を特定することで、検査画像を生成している。
【００９５】
実施の形態２に係る錠剤検査装置のハードウェアの概略構成は、図２に示した実施の形態１に係る錠剤検査装置１１のハードウェアの概略構成と同様である。ただし、二値化処理部１８が二値化対象とする画像と、演算部１６が実行する処理とが、前述の実施の形態１とは異なる。そのため、二値化処理部１８以外の説明は省略している。
【００９６】
二値化処理部１８が二値化対象とする画像は、上述のように二値化処理が施されていない透過画像と反射画像の差分画像である。
【００９７】
演算部１６が実行する処理については、具体例を示しながら以下に説明する。
【００９８】
図８は、実施の形態２に係る薬包体２１の平面図である。この薬包体２１は、図３に示した実施の形態１に係る薬包体２１と同様の薬包体２１であり、図３に示した薬包体２１に加え、高吸収錠剤３３が封入された薬包体２１である。なお、カメラ部１５で撮像された二値化処理がされていない反射画像は、図８のようになる。
【００９９】
図９は、実施の形態２における錠剤検査装置１１を用いて錠剤検査を行う方法を示すフローチャートである。図７に示したフローチャートと同様のステップについては同じステップ番号を付し、適宜説明を省略する。
【０１００】
カメラ部１５は、図７のステップＳ０１とステップＳ０３と同様の処理を行い、反射画像および透過画像を取得する（ステップＳ０１、Ｓ０３）。
【０１０１】
反射画像は図８に示すような画像であり、透過画像は図１０に示すような画像である。いずれの画像においても高吸収錠剤３３は黒く映っている。
【０１０２】
演算部１６は、ステップＳ０１で取得された反射画像とステップＳ０３で取得された透過画像との差分画像を生成する（ステップＳ１１）。つまり、演算部１６は、画素ごとに反射画像の画素値から透過画像の画素値を減算し、減算結果の絶対値を当該画素の画素値とすることで差分画像を生成する。
【０１０３】
演算部１６は、二値化処理部１８に、ステップＳ１１で生成された差分画像を二値化させる。二値化処理部１８は、ステップＳ１１で生成された差分画像を二値化する（ステップＳ１２）。図１１は、差分画像を二値化した画像の一例を示す図である。二値化された差分画像４７には、錠剤３１が黒い画素として映っているが、印字部３２と高吸収錠剤３３とが除去されている。これは、印字部３２および高吸収錠剤３３は、赤外光の吸収率が高く、反射画像および透過画像においてともに明度が低いためである。つまり、差分画像４７において、印字部３２および高吸収錠剤３３は画素値が小さくなるため、差分画像を二値化することにより印字部３２および高吸収錠剤３３が除去される。
【０１０４】
続いて、二値化処理部１８は、ステップＳ０１で取得された反射画像を二値化する（ステップＳ１３）。この二値化された反射画像を用いて、印字部３２と高吸収錠剤３３との分離を行う。上述のように高吸収錠剤３３は、印字部３２よりもさらに赤外光の吸収率が高い。つまり、反射画像において、高吸収錠剤３３の明度は印字部３２の明度よりもさらに低い。このため、高吸収錠剤３３の明度と印字部３２の明度との間の明度の値を閾値とする。二値化処理部１８は、閾値よりも明度が低い画素を黒い画素とし、閾値以上の明度の画素を白い画素とすることで反射画像の二値化を行う。図１２は、二値化された反射画像４５の一例を示す図である。反射画像４５は、高吸収錠剤３３の領域を示す画像である。
【０１０５】
演算部１６は、反射画像４５の黒い画素で示される領域を、高吸収錠剤３３の領域として特定する（ステップＳ１４）。
【０１０６】
演算部１６は、ステップＳ１２で二値化された後の差分画像と、ステップＳ１４で特定された高吸収錠剤３３の領域とに基づいて、検査画像を生成する（ステップＳ１５）。つまり、演算部１６は、図１１に示す差分画像４７の画素のうち、図１２に示す高吸収錠剤３３の領域と同じ位置の画素を黒い画素に置き換えることで、検査画像を生成する。図１３は、生成された検査画像の一例を示す図である。検査画像５７からは印字部３２が除去されており、検査画像５７には錠剤３１と高吸収錠剤３３とが映っている。
【０１０７】
錠剤カウント部１９は、検査画像５７における錠剤３１および高吸収錠剤３３を合わせた個数を数え、この数を錠剤の個数として算出する（ステップＳ０６）。
【０１０８】
さらに、錠剤カウント部１９には、処方箋に基づいて薬包体２１に封入されているべき錠剤の総数が記録されている。そして、錠剤カウント部１９は、記録されている処方箋に基づく錠剤の総数と、ステップＳ０５で算出された錠剤の個数とが同数であるか否かをチェックする（ステップＳ０７）。
【０１０９】
以上説明したように、実施の形態２に係る錠剤検査装置１１によると、薬包体２１の中に、印字部３２よりも赤外光の吸収率が低い高吸収錠剤３３が含まれている場合であっても、印字部３２の影響を受けずに、正確に錠剤の個数を計数することができる。
【０１１０】
なお、差分画像生成処理（ステップＳ１１）の前に、透過画像と反射画像の少なくとも１つの画像に対し、画像上の明度の最大値と最小値の値を理想状態の明度の最大値と最小値の値へ補正する処理を行ってもよい。
【０１１１】
この構成により、差分画像を二値化するための閾値を、理想的な閾値にするための厳密な調整をしなくとも、印字部３２が除去され、かつ錠剤３１が含まれた二値化処理された差分画像を生成することができる。
【０１１２】
また、差分画像生成処理（ステップＳ１１）の前に、透過画像と反射画像の少なくとも１つの画像に対し、画像上の明度の平均と分散の値を、理想状態の明度の平均と分散の値へ補正する補正ステップを行ってもよい。
【０１１３】
この構成により、差分画像を二値化するための閾値を、理想的な閾値にするための厳密な調整をしなくとも、印字部３２が除去され、かつ錠剤３１が含まれた二値化処理された差分画像を生成することができる。
【０１１４】
また、実施の形態２では、高吸収錠剤を抽出する処理について説明したが、この処理は実施の形態１においても適用可能である。
【０１１５】
以上、本発明の実施の形態１および２に係る錠剤検査装置１１について説明したが、本発明は、これらの実施の形態に限定されるものではない。
【０１１６】
例えば、上記の錠剤検査装置１１のうち演算部１６、二値化処理部１８および錠剤カウント部１９は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、錠剤検査装置１１は、その機能を達成する。ここでコンピュータプログラムは、所定の機能を達成するために、コンピュータに対する指令を示す命令コードが複数個組み合わされて構成されたものである。
【０１１７】
さらに、上記の錠剤検査装置１１のうち演算部１６、二値化処理部１８および錠剤カウント部１９の一部または全部は、１個のシステムＬＳＩ（Large Scale Integration：大規模集積回路）から構成されているとしても良い。システムＬＳＩは、複数の構成部を１個のチップ上に集積して製造された多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１１８】
さらにまた、上記の錠剤検査装置１１のうち演算部１６、二値化処理部１８および錠剤カウント部１９の一部または全部は、錠剤検査装置１１に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１１９】
また、本発明は、上記に示す方法であるとしても良い。また、本発明は、これらの方法をコンピュータにより実現するコンピュータプログラムであるとしても良いし、前記コンピュータプログラムからなるデジタル信号であるとしても良い。
【０１２０】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Blu-ray Disc（登録商標））、半導体メモリなどに記録したものとしても良い。また、これらの非一時的な記録媒体に記録されている上記デジタル信号であるとしても良い。
【０１２１】
また、本発明は、上記コンピュータプログラムまたは上記デジタル信号を、電気通信回線、無線または有線通信回線、インターネットを代表とするネットワーク、データ放送等を経由して伝送するものとしても良い。
【０１２２】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１２３】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１２４】
さらに、上記実施の形態及び上記変形例をそれぞれ組み合わせるとしても良い。
【０１２５】
今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【産業上の利用可能性】
【０１２６】
本発明の錠剤検査装置およびこれを用いた錠剤検査方法は、錠剤を含み印字部を除去した検査画像を生成することができる。このため、調剤作業を行わなければならない薬局、病院施設等で利用する薬包体の錠剤を自動計数することで監査を自動的に行う錠剤検査装置、または、薬包体の錠剤を表示して監査者による視認監査の補助をする錠剤検査装置等として有用である。
【符号の説明】
【０１２７】
１１    錠剤検査装置
１２    載置台
１３    反射照明部
１４    透過照明部
１５    カメラ部
１６    演算部
１７    表示部
１８    二値化処理部
１９    錠剤カウント部
２０    ガイド部
２１    薬包体
２２    透明板
３１    錠剤
３２    印字部
３３    高吸収錠剤
３５、４５    反射画像
３６    透過画像
３７、５７    検査画像
４７    差分画像
【図１】
2012127827.tif 000003
【図２】
2012127827.tif 000004
【図３】
2012127827.tif 000005
【図４】
2012127827.tif 000006
【図５】
2012127827.tif 000007
【図６】
2012127827.tif 000008
【図７】
2012127827.tif 000009
【図８】
2012127827.tif 000010
【図９】
2012127827.tif 000011
【図１０】
2012127827.tif 000012
【図１１】
2012127827.tif 000013
【図１２】
2012127827.tif 000014
【図１３】
2012127827.tif 000015
【手続補正書】
【提出日】平成24年7月24日(2012.7.24)
【手続補正１】
【補正対象書類名】特許請求の範囲
【補正対象項目名】全文
【補正方法】変更
【補正の内容】
【特許請求の範囲】
【請求項１】
一方のフィルムに印字部を有し他方のフィルムに印字部を有しない２枚のフィルム間に、前記印字部よりも赤外光の吸収率が低い錠剤が少なくとも封入された薬包体を載置する載置部と、
赤外光を照射する透過照明部と、
赤外光を照射する反射照明部と、
前記透過照明部が前記薬包体に前記一方のフィルムの側から赤外光を照射した状態において、前記薬包体を前記他方のフィルムの側から撮像することにより透過画像を取得すると共に、前記反射照明部が前記薬包体に前記他方のフィルムの側から赤外光を照射した状態において、前記薬包体を前記他方のフィルムの側から撮像することにより反射画像を取得するカメラ部と、
前記反射画像と前記透過画像との差分画像から前記印字部が除去された検査画像を生成し、前記検査画像に基づいて前記錠剤を検査する演算部と
を備える
錠剤検査装置。
【請求項２】
さらに、
画像を二値化する二値化処理部を備え、
前記演算部は、前記二値化処理部で二値化された前記差分画像から、前記検査画像を生成する
請求項１記載の錠剤検査装置。
【請求項３】
さらに、
画像を二値化する二値化処理部を備え、
前記演算部は、前記二値化処理部で二値化された前記反射画像と前記二値化処理部で二値化された前記透過画像との差分画像から、前記検査画像を生成する
請求項１記載の錠剤検査装置。
【請求項４】
前記演算部は、二値化された前記反射画像において閾値以上の画素値を有する領域であると共に二値化された前記透過画像において閾値未満の画素値を有する領域を残し、その他の領域を除去して前記検査画像を生成する
請求項３記載の錠剤検査装置。
【請求項５】
前記薬包体には、前記印字部よりも赤外光の吸収率が高い錠剤である第二錠剤が封入されており、
前記演算部は、前記二値化処理部で二値化された前記反射画像から前記第二錠剤の領域を特定し、特定した前記第二錠剤の領域を示す像を前記検査画像に追加する
請求項２〜４のいずれか１項に記載の錠剤検査装置。
【請求項６】
前記第二錠剤は、サーカネッテン（登録商標）錠である
請求項５記載の錠剤検査装置。
【請求項７】
前記一方のフィルムが有色フィルムであり、前記他方のフィルムが透明フィルムである
請求項１〜６のいずれか１項に記載の錠剤検査装置。
【請求項８】
前記赤外光は、７５０ｎｍ〜９５０ｎｍの波長帯の光である
請求項７記載の錠剤検査装置。
【請求項９】
さらに、
前記検査画像に含まれる錠剤の領域を計数することにより、前記薬包体に含まれる錠剤の個数を計数する錠剤カウント部を備える
請求項１〜８のいずれか１項に記載の錠剤検査装置。
【請求項１０】
前記載置部は、前記薬包体を載置する部分が透明な部分である載置台である
請求項１〜９のいずれか１項に記載の錠剤検査装置。
【請求項１１】
前記載置台の透明な部分は、ルーバー構造を有する透明板から構成される
請求項１０記載の錠剤検査装置。
【請求項１２】
前記反射照明部は、赤外光を反射するドーム形状の反射鏡を備える
請求項１〜１１のいずれか１項に記載の錠剤検査装置。
【請求項１３】
一方のフィルムに印字部を有し他方のフィルムに印字部を有しない２枚のフィルム間に、前記印字部よりも赤外光の吸収率が低い錠剤が少なくとも封入された薬包体を準備し、
透過照明部が前記薬包体に前記一方のフィルムの側から赤外光を照射した状態において、前記薬包体を前記他方のフィルムの側から撮像することにより透過画像を取得し、
反射照明部が前記薬包体に前記他方のフィルムの側から赤外光を照射した状態において、前記薬包体を前記他方のフィルムの側から撮像することにより反射画像を取得し、
前記反射画像と前記透過画像との差分画像から前記印字部が除去された検査画像を生成し、前記検査画像に基づいて前記錠剤を検査する
錠剤検査方法。
【請求項１４】
二値化処理部で二値化された前記差分画像から、前記検査画像を生成する
請求項１３記載の錠剤検査方法。
【請求項１５】
二値化処理部で二値化された前記反射画像と前記二値化処理部で二値化された前記透過画像との差分画像から、前記検査画像を生成する
請求項１３記載の錠剤検査方法。
【請求項１６】
前記薬包体には、前記印字部よりも赤外光の吸収率が高い錠剤である第二錠剤が封入されており、
二値化処理部で二値化された前記反射画像から前記第二錠剤の領域を特定し、特定した前記第二錠剤の領域を示す像を前記検査画像に追加した後、前記第二錠剤の領域を示す像が追加された前記検査画像に基づいて前記錠剤を検査する
請求項１３〜１５のいずれか１項に記載の錠剤検査方法。
【請求項１７】
前記第二錠剤は、サーカネッテン（登録商標）錠である
請求項１６記載の錠剤検査方法。
【手続補正書】
【提出日】平成25年8月5日(2013.8.5)
【手続補正１】
【補正対象書類名】特許請求の範囲
【補正対象項目名】全文
【補正方法】変更
【補正の内容】
【特許請求の範囲】
【請求項１】
一方のフィルムにコーティングされた有色表示面に印字部を有し他方のフィルムに前記有色表示面及び印字部を有しない２枚のフィルム間に、前記印字部よりも７５０ｎｍ〜９５０ｎｍの波長帯の赤外光の吸収率が低い錠剤が少なくとも封入された薬包体を載置する載置部と、
前記波長帯の赤外光を照射する透過照明部と、
前記波長帯の赤外光を照射する反射照明部と、
前記透過照明部が前記薬包体に前記一方のフィルムの側から前記波長帯の赤外光を照射した状態において、前記薬包体を前記他方のフィルムの側から撮像することにより透過画像を取得すると共に、前記反射照明部が前記薬包体に前記他方のフィルムの側から前記波長帯の赤外光を照射した状態において、前記薬包体を前記他方のフィルムの側から撮像することにより反射画像を取得するカメラ部と、
前記反射画像と前記透過画像との差分画像から前記印字部が除去された検査画像を生成し、前記検査画像に基づいて前記錠剤を検査する演算部と
を備える
錠剤検査装置。
【請求項２】
さらに、
画像を二値化する二値化処理部を備え、
前記演算部は、前記二値化処理部で二値化された前記差分画像から、前記検査画像を生成する
請求項１記載の錠剤検査装置。
【請求項３】
さらに、
画像を二値化する二値化処理部を備え、
前記演算部は、前記二値化処理部で二値化された前記反射画像と前記二値化処理部で二値化された前記透過画像との差分画像から、前記検査画像を生成する
請求項１記載の錠剤検査装置。
【請求項４】
前記演算部は、二値化された前記反射画像において閾値以上の画素値を有する領域であると共に二値化された前記透過画像において閾値未満の画素値を有する領域を残し、その他の領域を除去して前記検査画像を生成する
請求項３記載の錠剤検査装置。
【請求項５】
一方のフィルムに印字部を有し他方のフィルムに印字部を有しない２枚のフィルム間に、前記印字部よりも赤外光の吸収率が低い錠剤が少なくとも封入された薬包体を載置する載置部と、
赤外光を照射する透過照明部と、
赤外光を照射する反射照明部と、
前記透過照明部が前記薬包体に前記一方のフィルムの側から赤外光を照射した状態において、前記薬包体を前記他方のフィルムの側から撮像することにより透過画像を取得すると共に、前記反射照明部が前記薬包体に前記他方のフィルムの側から赤外光を照射した状態において、前記薬包体を前記他方のフィルムの側から撮像することにより反射画像を取得するカメラ部と、
前記反射画像と前記透過画像との差分画像から前記印字部が除去された検査画像を生成し、前記検査画像に基づいて前記錠剤を検査する演算部と、
画像を二値化する二値化処理部と、を備え、
前記薬包体には、前記印字部よりも赤外光の吸収率が高い錠剤である第二錠剤が封入されており、
前記演算部は、前記二値化処理部で二値化された前記差分画像から前記検査画像を生成するに際し、前記二値化処理部で二値化された前記反射画像または前記透過画像から前記第二錠剤の領域を特定し、特定した前記第二錠剤の領域を示す像を前記検査画像に追加する
錠剤検査装置。
【請求項６】
前記第二錠剤は、パラフレボン・センナ末配合剤である
請求項５記載の錠剤検査装置。
【請求項７】
前記一方のフィルムがコーティングされた有色表示面を有するフィルムであり、前記他方のフィルムが透明フィルムである
請求項１〜６のいずれか１項に記載の錠剤検査装置。
【請求項８】
前記赤外光は、７５０ｎｍ〜９５０ｎｍの波長帯の光である
請求項７記載の錠剤検査装置。
【請求項９】
さらに、
前記検査画像に含まれる錠剤の領域を計数することにより、前記薬包体に含まれる錠剤の個数を計数する錠剤カウント部を備える
請求項１〜８のいずれか１項に記載の錠剤検査装置。
【請求項１０】
前記載置部は、前記薬包体を載置する部分が透明な部分である載置台である
請求項１〜９のいずれか１項に記載の錠剤検査装置。
【請求項１１】
前記載置台の透明な部分は、ルーバー構造を有する透明板から構成される
請求項１０記載の錠剤検査装置。
【請求項１２】
前記反射照明部は、赤外光を反射するドーム形状の反射鏡を備える
請求項１〜１１のいずれか１項に記載の錠剤検査装置。
【請求項１３】
一方のフィルムにコーティングされた有色表示面に印字部を有し他方のフィルムに前記有色表示面及び印字部を有しない２枚のフィルム間に、前記印字部よりも７５０ｎｍ〜９５０ｎｍの波長帯の赤外光の吸収率が低い錠剤が少なくとも封入された薬包体を準備し、
透過照明部が前記薬包体に前記一方のフィルムの側から前記波長帯の赤外光を照射した状態において、前記薬包体を前記他方のフィルムの側から撮像することにより透過画像を取得し、
反射照明部が前記薬包体に前記他方のフィルムの側から前記波長帯の赤外光を照射した状態において、前記薬包体を前記他方のフィルムの側から撮像することにより反射画像を取得し、
前記反射画像と前記透過画像との差分画像から前記印字部が除去された検査画像を生成し、前記検査画像に基づいて前記錠剤を検査する
錠剤検査方法。
【請求項１４】
二値化処理部で二値化された前記差分画像から、前記検査画像を生成する
請求項１３記載の錠剤検査方法。
【請求項１５】
二値化処理部で二値化された前記反射画像と前記二値化処理部で二値化された前記透過画像との差分画像から、前記検査画像を生成する
請求項１３記載の錠剤検査方法。
【請求項１６】
一方のフィルムに印字部を有し他方のフィルムに印字部を有しない２枚のフィルム間に、前記印字部よりも赤外光の吸収率が低い錠剤が少なくとも封入された薬包体を準備し、
透過照明部が前記薬包体に前記一方のフィルムの側から赤外光を照射した状態において、前記薬包体を前記他方のフィルムの側から撮像することにより透過画像を取得し、
反射照明部が前記薬包体に前記他方のフィルムの側から赤外光を照射した状態において、前記薬包体を前記他方のフィルムの側から撮像することにより反射画像を取得し、
前記反射画像と前記透過画像との差分画像から前記印字部が除去された検査画像を生成し、前記検査画像に基づいて前記錠剤を検査するに際し、
前記薬包体には、前記印字部よりも赤外光の吸収率が高い錠剤である第二錠剤が封入されており、
二値化処理部で二値化された前記反射画像または前記透過画像から前記第二錠剤の領域を特定し、特定した前記第二錠剤の領域を示す像を前記検査画像に追加した後、前記第二錠剤の領域を示す像が追加された前記検査画像に基づいて前記錠剤を検査する
錠剤検査方法。
【請求項１７】
前記第二錠剤は、パラフレボン・センナ末配合剤である
請求項１６記載の錠剤検査方法。
【手続補正２】
【補正対象書類名】明細書
【補正対象項目名】００１３
【補正方法】変更
【補正の内容】
【００１３】
上記目的を達成するために、本発明のある局面に係る錠剤検査装置は、一方のフィルムにコーティングされた有色表示面に印字部を有し他方のフィルムに前記有色表示面及び印字部を有しない２枚のフィルム間に、前記印字部よりも７５０ｎｍ〜９５０ｎｍの波長帯の赤外光の吸収率が低い錠剤が少なくとも封入された薬包体を載置する載置部と、前記波長帯の赤外光を照射する透過照明部と、前記波長帯の赤外光を照射する反射照明部と、前記透過照明部が前記薬包体に前記一方のフィルムの側から前記波長帯の赤外光を照射した状態において、前記薬包体を前記他方のフィルムの側から撮像することにより透過画像を取得すると共に、前記反射照明部が前記薬包体に前記他方のフィルムの側から前記波長帯の赤外光を照射した状態において、前記薬包体を前記他方のフィルムの側から撮像することにより反射画像を取得するカメラ部と、前記反射画像と前記透過画像との差分画像から前記印字部が除去された検査画像を生成し、前記検査画像に基づいて前記錠剤を検査する演算部とを備える。
【手続補正３】
【補正対象書類名】明細書
【補正対象項目名】００１４
【補正方法】変更
【補正の内容】
【００１４】
本発明の他の局面に係る錠剤検査方法は、一方のフィルムにコーティングされた有色表示面に印字部を有し他方のフィルムに前記有色表示面及び印字部を有しない２枚のフィルム間に、前記印字部よりも７５０ｎｍ〜９５０ｎｍの波長帯の赤外光の吸収率が低い錠剤が少なくとも封入された薬包体を準備し、透過照明部が前記薬包体に前記一方のフィルムの側から前記波長帯の赤外光を照射した状態において、前記薬包体を前記他方のフィルムの側から撮像することにより透過画像を取得し、反射照明部が前記薬包体に前記他方のフィルムの側から前記波長帯の赤外光を照射した状態において、前記薬包体を前記他方のフィルムの側から撮像することにより反射画像を取得し、前記反射画像と前記透過画像との差分画像から前記印字部が除去された検査画像を生成し、前記検査画像に基づいて前記錠剤を検査する。
【国際調査報告】
2012127827.tif 000016
2012127827.tif 000017
2012127827.tif 000018
2012127827.tif 000019